【事件の表示】
　特許第３３２７７１３号「眼科撮影装置」の請求項１ないし４に係る特許に対する特許異議の申立てについて、次のとおり決定する。
【結　論】
　訂正を認める。
　特許第３３２７７１３号の請求項１ないし４に係る特許を取り消す。
【理　由】
１．手続の経緯
　特許第３３２７７１３号の請求項１−４に係る発明は、平成６年１２月２７日（優先権主張、平成６年４月２２日）に特許出願され、平成１４年７月１２日にその特許権の設定登録がされ、その後、異議申立人高柳智明、市橋裕一により特許異議の申立てがなされ、取消しの理由が通知され、その指定期間内である平成１５年１０月６日に訂正請求がされた後、訂正拒絶理由が通知され、平成１６年１２月３日に手続補正書が提出されたものである。
２．訂正の適否についての判断
（１）訂正請求に対する補正の適否について
　この補正は、訂正請求書に添付した訂正明細書において、【特許請求の範囲】の【請求項１】及び【発明の詳細な説明】の【０００５】の「撮影モード切換手段・フィルタ検知手段」とある記載を「撮影モード切換手段とフィルタ検知手段」と補正し、これに整合するように訂正請求書の記載を補正するものであり、訂正請求書の要旨を変更するものではなく、特許法第１２０条の４第３項において準用する同法第１３１条第２項の規定に適合する。
（２）訂正の内容
　特許明細書の記載を訂正請求書に添付した訂正明細書のとおりに訂正するもので、すなわち、以下のａ−ｅの事項よりなるものである。
　訂正事項ａ
　特許請求の範囲の請求項１を次のように訂正する。
「【請求項１】
　１個のアライメント用或いは１個の合焦用の指標を指標用光源から被検眼に投影する指標投影手段（以下、「構成要件Ａ」という。）と、
　前記指標と共に被検眼を観察する観察手段（以下、「構成要件Ｂ」という。）と、
　前記指標用光源を駆動するための光源駆動手段（以下、「構成要件Ｃ」という。）と、
　撮影用光源の充電完了検知手段（以下、「構成要件Ｄ１」という。）又は撮影モード切換手段とフィルタ検知手段（以下、「構成要件Ｄ２」という。）と、
　前記指標を表示する表示手段（以下、「構成要件Ｅ」という。）とを有し、
　前記充電完了検知手段により検出された前記撮影用光源の充電状態を前記光源駆動手段によって前記指標用光源を駆動して前記指標の表示状態の変化として表示し（以下、「構成要件Ｆ１」という。）、
　又は前記撮影モード切換手段と前記フィルタ検知手段により検出された撮影モードとフィルタの組合わせ状態を前記光源駆動手段によって前記指標用光源を駆動して前記指標の表示状態の変化として表示し（以下、「構成要件Ｆ２」という。）、
　撮影可能な状態であるかどうかを前記観察手段を介して検者に知らせる（以下、「構成要件Ｆ３」という。）ことを特徴とする
　眼科撮影装置。」
　訂正事項ｂ
　特許請求の範囲の請求項２を次のように訂正する。
「【請求項２】
　前記指標の表示状態の変化は、前記光源駆動手段によって前記指標用光源を点滅、点灯させることにより行う（以下、「構成要件Ｇ」という。）ことを特徴とする請求項１に記載の眼科撮影装置。」
　訂正事項ｃ
　特許請求の範囲の請求項３を次のように訂正する。
「【請求項３】
　前記指標の表示状態の変化は、前記光源駆動手段によって前記指標用光源の明るさを変えることにより行う（以下、「構成要件Ｈ」という。）ことを特徴とする請求項１に記載の眼科撮影装置。」
　訂正事項ｄ
　特許請求の範囲の請求項４を次のように訂正する。
「【請求項４】
　前記指標の表示状態の変化は、前記光源駆動手段によって前記指標用光源の波長を切換えることにより行う（以下、構成要件Ｉ」という。）ことを特徴とする請求項１に記載の眼科撮影装置。」
　訂正事項ｅ
　発明の詳細な説明の【０００５】【課題を解決するための手段】を次のように訂正する。
「【０００５】
【課題を解決するための手段】
　上記目的を達成するための本発明に係る眼科撮影装置は、１個のアライメント用或いは１個の合焦用の指標を指標用光源から被検眼に投影する指標投影手段と、前記指標と共に被検眼を観察する観察手段と、前記指標用光源を駆動するための光源駆動手段と、撮影用光源の充電完了検知手段又は撮影モード切換手段とフィルタ検知手段と、前記指標を表示する表示手段とを有し、前記充電完了検知手段により検出された前記撮影用光源の充電状態を前記光源駆動手段によって前記指標用光源を駆動して前記指標の表示状態の変化として表示し、又は前記撮影モード切換手段と前記フィルタ検知手段により検出された撮影モードとフィルタの組合わせ状態を前記光源駆動手段によって前記指標用光源を駆動して前記指標の表示状態の変化として表示し、撮影可能な状態であるかどうかを前記観察手段を介して検者に知らせることを特徴とする。」
（３）訂正の目的の適否、新規事項の有無、及び拡張・変更の存否
　訂正事項ａは、請求項１を次の（イ）−（ニ）のように訂正するものである。
　（イ）指標投影手段について、投影する指標は、１個であることに限定するとともに、指標を投影する光源は指標用光源であることを明りょうにするもので、これは、明細書の【０００９】【００１２】【００１９】【００２０】【００２２】【００２４】及び図面の記載に基づく。
　（ロ）「被検眼を観察する観察手段」は、「前記指標と共に被検眼を観察する」ものであることを明りょうにするもので、これは、明細書の【００１１】【００２０】【００２３】の記載に基づく。
　（ハ）「撮影モード検知手段又はフィルタ検知手段」は「撮影モード検知手段とフィルタ検知手段」であることを明りょうにするもので、これは、明細書の【００１５】【００１６】の記載に基づく。
　（ニ）撮影用光源の充電状態又は撮影モードとフィルタの組み合わせ状態を指標の表示状態の変化として表示し、撮影可能な状態であるかどうかを検者に知らせる、ものであることを明りょうにするもので、これは、明細書の【００１２】【００１５】【００１６】【００２４】【００２５】【００２７】の記載に基づく。
　したがって、訂正事項ａは、特許請求の範囲の減縮及び明りょうでない記載の釈明を目的とするものである。
　訂正事項ｂ−ｄは、訂正事項ａにより訂正された請求項１の記載との整合を図るために、請求項２−４の記載を訂正するもので明りょうでない記載の釈明を目的とするものである。
　訂正事項ｅは、訂正事項ａにより訂正された請求項１の記載との整合を図るために、発明の詳細な説明の記載を訂正するものであり、明りょうでない記載の釈明を目的とするものである。
　訂正事項ａ−ｅは、願書に添付した明細書又は図面に記載した事項の範囲内においてするものであり、実質上特許請求の範囲を拡張し、又は変更するものではない。
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３．特許異議申立てについての判断
（１）本件発明
　本件特許の請求項１−４に係る発明（以下、それぞれの発明を「本件発明１」・・・・・「本件発明４」のようにいう。）は、訂正明細書の特許請求の範囲の請求項１−４に記載されたとおりのものと認める（上記２．（２）訂正事項ａ−ｄ参照）。
（２）申立の理由の概要
　異議申立人高柳智明は、証拠として甲第１−４号証を提出し、本件特許の請求項１に係る発明は、特許法第２９条第１項の規定により、また、特許法第２９条第２項の規定により特許を受けることができないものであり、請求項２−４に係る発明は、特許法第２９条第２項の規定により特許を受けることができないものであるから請求項１−４に係る発明についての特許は取り消されるべきである、と主張している。
　異議申立人市橋裕一は、証拠として甲第１，２号証を提出して、本件特許の請求項１−４に係る発明は、特許法第２９条第２項の規定により特許を受けることができないものであるから、請求項１−４に係る発明についての特許は取り消されるべきである、と主張している。
（３）引用刊行物
　取消理由で引用した刊行物は次のとおりである。
刊行物１：特開昭５４−１５４１８７号公報（異議申立人高柳智明及び異議申立人市橋裕一の提出した甲第１号証）
刊行物２：特開昭６３−２６０５３０号公報（異議申立人高柳智明の提出した甲第２号証）
刊行物３：実公平４−２０４０２号公報（異議申立人高柳智明の提出した甲第３号証）
刊行物４：実願平２−１２４８６０号（実開平４−８０５０４号）のマイクロフィルム（異議申立人高柳智明の提出した甲第４号証）
刊行物５：特開昭５４−１５６６３０号公報（異議申立人市橋裕一の提出した甲第２号証）
　刊行物１には、眼科用検査装置に関する発明が記載されており、特に、次のような記載がある。
　記載１（第２頁、右下欄末行−第３頁、左上欄９行）
「第１図においてＥは被検眼、Ｅｆは網膜、Ｅｐは瞳孔そしてＥｃは角膜である。また１は収斂性対物レンズ、２は収斂性結像レンズ、３は光軸方向に可動なフォーカシング用レンズ。４は有孔鏡で、第２図に平面図を描くように鏡面中央に開口を備えるものとし、本図では省いているが開口に近接して撮影絞りを有する。
５は写真フィルム。６は跳上げ鏡で、観察時には光路中に斜設して眼底からの光束を導き、撮影時には光路外へ除去する。」
　記載２（第３頁、右上欄１０行−左下欄２行）
「次に２０は発光ダイオード、２１は緑色のフィルターで、赤色系の眼底に対して目立つようにこの色にしている。２２は細い単オプティカルファイバーで、発光ダイオード２０の発光々は緑色のフィルター２１を透過してファイバー２２の一端に入射し、他端から射出するが、この射出端を後述する位置に設定してＰとする。この最終光源（指標）Ｐの位置の決定方法は前述の出願に記載しているが、第４図に従って、再記する。」
　記載３（第３頁、左下欄１３行−右下欄８行）
「微小面積の光源Ｐを発した光束は対物レンズ１によって収斂され、角膜Ｅｃで反射してほぼ平行光束と成り、対物レンズ１に再度入射して眼底結像面Ｆ上に光源の像Ｐ’を形成する。従ってファインダーを覗いて眼底を観察している者は同時に光源Ｐの象を観察し得ることになり、その際、角膜Ｅｃと対物レンズ１の間隔が既定の作動距離Ｌ１から外れていれば光源の像Ｐ’は不鮮明なボケた像となるが作動距離Ｌ１に一致すれば鮮明な象を観察できる。またアライメントが崩れていれば光源の像Ｐ’は所定の位置から外れて現出するからこれをチェックすることも可能である。」
　記載４（第４頁、左上欄４−１２行）
「次に２３は別の発光ダイオード、２４は赤色のフィルターで、緑色系の蛍光に対して目立つようにこの色にしている。２５は細い単オプティカルファイバーで、その射光端をＱとし、このＱの位置は作動距離がＬ２のときに射光端Ｑを発した光束が角膜Ｅｃで正規反射して結像面Ｆに結像するように定められる。またＰとＱとの光軸方向の間隔ｄは対物レンズ１の焦点距離と作動距離Ｌ１とＬ２の差から決定される。」
　記載５（第４頁、左上欄１３行−右上欄１５行）
　「２６は励起フィルターあるいはエキサイターと呼ばれるフィルターで、第７図の曲線Ａで示すような透過傾向を持っており、白色光の内から蛍光造影剤を励起するに適した波長域の光を濾光する。またこの励起フィルター２６は不図示の案内によって光路中へ装着可能である。２７は電気スイッチで、中間の板バネ片２７ａとその両端にある接触端片２７ｂと２７ｃから成り、通常は板バネ片２７ａと端片２７ｂが接触しているが、励起フィルター２６が装着されると板バネ片２７ａは撓んでもう一方の端片２７ｃに接触してスイッチは切替る。
２８は濾過フィルターあるいはバリヤーフィルターと呼ばれて、例えば第７図の曲線Ｂで示すような透過傾向を持っており、眼底反射光の内から蛍光々を濾光し励起波長域の光を除去する機能を持ち、同時に角膜で反射した光束を除去することができる。またバリヤーフィルター２８は光路に着脱自在である。ただしスイッチ２７の切替はバリヤーフィルター２８で行なっても良い。」
　記載６（第４頁、右上欄末行−左下欄１２行）
「第６図はスイッチ２７による発光ダイオード２０と２３の制御回路を示しており、スイッチの各々の端片につながる接点からは導線が延びている。３０は直流電源。３１と３２は可変抵抗で、これら可変抵抗３１と３２は発光ダイオード２０と２３の光量を適切にするために設けられているが、特に蛍光撮影の際には発光ダイオード２３の光量を少なくしておくものとする。その理由は蛍光眼底撮影時は視野が暗いため、指標用の光源だけが明るいとファインダーを覗いている検者の暗順応に不都合なためで、この実施例では発光ダイオード２３の明るさは発光ダイオード２０の明るさより暗くする。」
　記載７（第４頁、左下欄末行−第５頁、左上欄８行）
「以上の構成の作用を説明すると、カラー写真撮影の際には被検者に散瞳剤を点眼した後、検査位置に着かせ、他方、白熱球１０と発光ダイオード２０を点灯する。白熱球１０を発した光束はコンデンサーレンズ１２によってキセノン管１３上に一旦収斂した後、発散し、コンデンサーレンズ１４でリングスリット板１５上に集光する。スリット板１５の環状スリットを発した光束は鏡１６で反射し、リレーレンズ１７で有孔鏡４上に収斂して反射し、対物レンズ１によって被検眼瞳孔Ｅｐにスリットの明環像を形成した後、眼底Ｅｆを一様に照明する。次いで眼底Ｅｆで散乱反射された光束は対物レンズ１によって１次結像面Ｆに結像された後、有孔鏡４の開口を通過し、フォーカシングレンズ３、結像レンズ２そして跳上げ鏡６を介してフィールドレンズ７上に眼底像を形成するから接眼レンズ９を覗いている検者は眼底像を観察できる。その際、オプティカルファイバー２２の射出端Ｐを発した緑色光束は上述した光学作用によって結像面Ｆ上に光源像Ｐ’を形成しているから、検者は眼底像とともにこの光源象を観察し得る。そこで検者は眼底像が鮮明になるようにフォーカシングレンズ３を移動してピント合わせを行なうとともに、光源像Ｐ’を見ながら位置合わせを行ない、」
　記載８（第５頁、左上欄１５行−右上欄９行）
「次に蛍光撮影を行なう場合には、励起フィルター２６を装着し、被検者には散瞳剤を点眼するとともに肘の血管に蛍光造影剤を注射する。励起フィルター２６の装着によって切替スイッチ２７の板バネ片２７ａは片２７ｂから離れて片２７ｃに接触し、発光ダイオード２３が点灯してオプティカルファイバー２５の射光端Ｑからは赤色光束が射出する。また、最適作動距離はＬ２に切替わっており、上述の調整操作と同じ操作を行なった後、バリヤーフィルター２８を装着してキセノン管１３を発光させることで蛍光撮影を実施することが可能となる。」
　刊行物２には、眼底カメラに関する発明が記載されており、特に、以下のような記載がある。
　記載１（第２頁、左下欄１６行−右下欄４行）
「一方、観察撮影系２は、前記照明系１によって照明された眼底Ｆの像を観察撮影するためのものであって、観察撮影光軸１９に沿って対物レンズ２０、孔あき斜設鏡２２、合焦レンズ２４、結像レンズ２６を有し、眼底像をフィルム２８上に形成する。観察時には、反転ミラー３０は図中実線で示すように観察撮影光軸１９上に斜設され、フィールドレンズ３２上に形成された眼底像は反射ミラー３４、接眼レンズ３６により検者により観察される。」
　記載２（第２頁、右下欄１０−１５行）
「また、指標投影系３は眼底Ｆにピント合わせ用指標像６２を投影するためのものであり、指標投影光軸３８上に配置された光源４０、コンデンサレンズ４２、偏角プリズム４４を接着したスリット状開口を有する指標マスク板４６、合焦レンズ４８、反射ミラー５０とを有している。」
　記載３（第３頁、左上欄４−１２行）
「さらに、指標マスク板４６とコンデンサレンズ４２との間には、指標投影光の色調及び明るさを変えるためのフィルター部５４が設けられている。このフィルター部５４には、緑色フィルター５６及び減光フィルター５８が設けられ、選択的に光路内に挿入可能になっており、一般のカラー撮影での観察の時には緑色フィルター５６が光路内に挿入され、又、蛍光撮影の場合には、減光フィルター５８が光路内に挿入されるようになっている。」
　記載４（第３頁、右上欄３行−左下欄１１行）
「操作スイッチ６８により蛍光撮影モードの設定がなされると、制御部６４により、エキサイターフィルター９が照明系１の光路内に、又、バリアフィルター６０が観察撮影系２の光路内に自動的に挿入されると共に、フィルター部５４の減光フィルター５８が指標投影系３の光路内に挿入されるように構成されている。
　また、操作スイッチ６８によりカラー撮影モードの設定がなされると、制御部６４により、エキサイターフィルター９及びバリアフィルター６０は各光路から離脱されるとともに、フィルター部５４の緑色フィルター５６が指標投影系３の光路内に挿入されるように構成されている。
　かかる構成により、カラー撮影時においては、緑色フィルター５６が指標投影系３の光路内に挿入されることから、眼底Ｆ上には緑色のピント合わせ用指標像６２が投影され、眼底像と重ね合わせて第２図に示めすように観察される。この場合には、眼底像は赤色の色調であり、緑色のピント合わせ用指標像６２は明瞭に識別される。
　また、蛍光撮影の場合には、緑色フィルター５６の代わりに減光フィルター５８が指標投影系３の光路内に挿入され、眼底Ｆ上には白色光で、かつ、カラー撮影の際の明るさにより暗いピント合わせ用指標像６２が投影される。この蛍光撮影の際には、眼底血管像は緑色の色調であり、白色光のピント合わせ用指標像６２は明瞭に識別でき、かつカラー撮影時に比べて明るさは暗いため、うすく暗い血管像を観察する上でも障害とならない。」
　刊行物３には、眼底カメラについて、ピント合わせ用指標像６２を眼底に投影する光源４０（ＬＥＤ）、指標マスク板４６などからなる指標投影系３を設け、観察撮影系２の倍率の変更に応じて濃度フィルター部５４による光の通過量を制御することにより、変倍レンズによる変倍に応じてピント合わせ用指標像の明るさを調節する構成が記載されており（第１頁、右欄２０行−第２頁、左欄５行、第２頁、右欄２３行−第３頁、右欄１行、参照）、さらに、光量の調整手段について次のような記載がある。
　記載１（第３頁、右欄７−１０行）
「尚、本実施例では、光量の調整手段として濃度フィルターを用いているが、ＬＥＤ事態の発光量を電気的に制御してもよいことは云うまでもない。」
　刊行物４には、眼科装置について、可視蛍光用のエキサイターフィルター１７あるいは赤外蛍光撮影用のエキサイターフィルター１８のいずれが挿入されるかで、異なる色の固指標を提示させるように固視灯２９を点灯制御する点灯回路２６を設け、その場合、固視灯２９には電圧により色調が変化する発光ダイオードを用いてもよく、また、電極を変化させ色調を変化させるものを用いてもよいことが記載されている（第７頁、８−２０行参照）。
　刊行物５には、自動調光式ストロボの動作表示手段を有するカメラについて、充電が完了するとカメラのファインダー内に配設された発光体Ｐ１が点灯あるいは点滅し、また、点滅表示の明るさを変化させることにより、ファインダー視野内の電光マーク１３により表示することが記載されている（第３頁、左下欄２行−右下欄３行、第１２頁、左下欄５−１２行、参照）
（４）比較判断
　Ｉ．刊行物１に記載された発明（以下、「引用発明１」という。）と本件各発明との比較
　引用発明１が眼科撮影装置に相当することは明らかである。
　引用発明１が本件各発明の構成要件Ａ−Ｆ３を有するものであるか否かについて検討する。
　構成要件Ａについて
　引用発明１のオプティカルファイバー（２２、２５）の射出端（Ｐ、Ｑ）、発光ダイオード（２０，２３）は、それぞれ、アライメント用指標、指標用光源、ということができるから、引用発明は「アライメント用の指標を指標用光源から被検眼に投影する指標投影手段」（以下、「構成要件ａ」という。）を有するものということができるが、アライメント用指標は２個であり、引用発明１が構成要件Ａを有するものということはできない。
　構成要件Ｂについて
　引用発明１のフィールドレンズ（７）、接眼レンズ（９）は「指標と共に被検眼を観察する観察手段」（以下、「構成要件ｂ］という。）ということができるが、指標は１個とはされておらず、引用発明１が構成要件Ｂを有するものということはできない。
　構成要件Ｃ
　引用発明１の直流電源（３０）、可変抵抗（３１，３２）等を有する回路は、「指標用光源を駆動するための光源駆動手段」（以下、「構成要件ｃ］という。）ということができるが、指標用光源は、１個の指標を投影するものとはされておらず、引用発明１が構成要件Ｃを有するものということはできない。
　構成要件Ｄ１について
　刊行物１には、構成要件Ｄ１についての記載はない。
　構成要件Ｄ２について
　引用発明１のスイッチ（２７）はフィルタ検知手段ということができる（記載５参照）が、引用発明１が撮影モード切換手段を有するものか否かは明らかでなく、引用発明１が構成要件Ｄ２を有するものということはできない。
　構成要件Ｅ
　引用発明１の対物レンズ１やフォーカシング用レンズ（３）、結像レンズ（２）は「指標を表示する表示手段」（以下、「構成要件ｅ］という。）ということができる（記載３，７参照）が、指標は１個とはされておらず、引用発明１が構成要件Ｅを有するものということはできない。。
　構成要件Ｆ１について
　刊行物１には、構成要件Ｆ１についての記載はない。
　構成要件Ｆ２について
　引用発明１は、刊行物１の記載５−８から明らかなように、蛍光撮影モードでは、励起フィルター（２６）が装着されるとスイッチ（２７）（フィルタ検知手段）が切換り、発光ダイオード（２３）が点灯して射出端Ｑ（アライメント用指標）の赤色の像が表示され、カラー撮影モードでは、励起フィルター（２６）は装着されず、発光ダイオード（２０）が点灯して射出端Ｐ（アライメント用指標）の緑色の像が表示される。
　したがって、引用発明１は、「フィルタ検知手段により検出された撮影モードとフィルタの組み合わせ状態を光源駆動手段によって指標用光源を駆動して指標の表示状態の変化として表示する」ものということができるが、検出は撮影モード切換手段とフィルタ検知手段によるものか否かは明らかでなく、構成要件Ｆ２を有するものということはできない。
　構成要件Ｆ３について
　刊行物１には構成要件Ｆ３についての直接の記載はないが、引用発明１は、蛍光モードでは励起フィルターが装着され赤色のアライメント用指標像が表示され、カラー撮影モードでは励起フィルターは装着されず緑色のアライメント用指標像が表示されるものであるから、検者は、観察手段である接眼レンズ（９）を介してアライメント用指標像を観察し、該指標像が緑色であればカラー撮影モードでの撮影が可能であることを知り、赤色であれば蛍光撮影モードでの撮影が可能であることを知ることができる。すなわち、引用発明１は「撮影モードとフィルタの組み合わせ状態を指標の表示状態の変化として表示」し、「撮影可能な状態であるかどうかを観察手段を介して検者に知らせる」機能を有するものである。
［本件発明２についての判断］
　以上のことから、本件発明２と引用発明１とを比較すると、両者は、
　アライメント用或いは合焦用の指標を指標用光源から被検眼に投影する指標投影手段と、
　指標と共に被検眼を観察する観察手段と、
　指標用光源を駆動するための光源駆動手段と、
　指標を表示する表示手段とを有し、
　検出された撮影モードとフィルタの組合わせ状態を光源駆動手段によって指標用光源を駆動して指標の表示状態の変化として表示することを特徴とする
　眼科撮影装置
である点で一致し、次の４点で相違する。
　相違点１
　投影する指標の個数が、本件発明２は、１個であるのに対して、引用発明１は２個である点
　相違点２
　本件発明２は、構成要件Ｄ１又はＤ２を有するのに対して、引用発明１はそのようなものではない点
　相違点３
　本件発明２は、構成要件Ｆ１又はＦ２を有し、構成要件Ｆ３を有するのに対して、引用発明１はそのようなものではない点
　相違点４
　本件発明２は、構成要件Ｇを有するのに対して、引用発明１はそのようなものではない点
　相違点について検討する。
　相違点１について
　指標の数を１個とするか２個とするかは、当業者が適宜選択しうる設計上の事項であり、その選択により作用効果において格別の相違があるものとはいえない。
　したがって、引用発明１において構成要件ａを本件発明２の構成要件Ａのようにし、その際、構成要件ｂ、ｃ、ｅを本件発明２の構成要件Ｂ、Ｃ、Ｅのようにすることは当業者にとって格別困難なことではない。
　相違点２について
　撮影モード切換手段を設けることは周知であり（刊行物２にも撮影モード切換手段に相当する操作スイッチ（６８）を設けることが記載されている。）、カラー撮影と蛍光撮影の２つの撮影モードが可能である引用発明１において、撮影モード切換手段を設けるようにすることは当業者が直ちに得られる発想である。
　したがって、引用発明１において構成要件Ｄ２のようにすることは当業者にとって何ら困難なことではない。
　相違点３について
　引用発明１は「フィルタ検知手段により検出された撮影モードとフィルタの組み合わせ状態を光源駆動手段によって指標用光源を駆動して指標の表示状態の変化として表示する」構成を有し、指標の表示状態の変化により、「撮影可能な状態であるかどうかを観察手段を介して検者に知らせる」機能を有するものである。
　そして、相違点２について検討したように、フィルタ検知手段に加えて撮影モード切換手段を設けることは当業者にとって何ら困難なことではなく、その場合、撮影モードとフィルタの組み合わせ状態の検出を撮影モード切換手段とフィルタ検知手段によりなすことは当然当然考えられることである。
　したがって、引用発明１において、構成要件Ｆ２及びＦ３を有するようにすることは当業者にとって格別困難なこととはいえない。
　相違点４について
　引用発明１は、光源駆動手段によって指標用光源を点灯又は消灯させている。また、一般に、指標の表示状態を変化させるために、指標用光源を点滅あるいは点灯させることは周知技術である（刊行物５参照）から、引用発明１において、構成要件Ａ−Ｆ３のようにし、その際、上記周知技術を考慮して、構成要件Ｇのようにすることは当業者にとって格別困難なこととはいえない。
　したがって、本件発明２は、引用発明１及び周知技術に基づいて当業者が容易に発明することができたものである。
［本件発明３についての判断］
　本件発明３は、構成要件Ａ−Ｆ３に加えて、構成要件Ｈを有するものである。
　本件発明３と引用発明１とを比較すると、構成要件Ａ−Ｆ３については、本件発明２について検討したとおりである。
　構成要件Ｈについて検討すると、引用発明１は、刊行物１の記載６から明らかなように、アライメント用指標像の明るさは、蛍光撮影モードの際にはカラー撮影モードの際よりも暗くなるものであり、すなわち、「指標の表示状態の変化は、明るさを変えることにより行う」ものであるから、引用発明１及び周知技術に基づいて構成要件Ａ−Ｆ３のようにするに際し、構成要件Ｈのようにすることは当業者が当然なしうることであり、本件発明３は引用発明１及び周知技術に基づいて当業者が容易に発明をすることができたものである。
［本件発明４についての判断］
　本件発明４は、構成要件Ａ−Ｆ３に加えて、構成要件Ｉを有するものである。
　本件発明４と引用発明１とを比較すると、構成要件Ａ−Ｆ３については、本件発明２について検討したとおりである。
　構成要件Ｉについて検討すると、引用発明１は、刊行物１の記載７，８から明らかなように、アライメント用指標像の色は、蛍光撮影モードの際には赤色で、カラー撮影モードの際には緑色であるから、すなわち、「指標の表示状態の変化は、その波長特性を切換えることにより行う」ものであるから、引用発明１及び周知技術に基づいて構成要件Ａ−Ｆ３のようにするに際し、構成要件Ｉのようにすることは当業者が当然なしうることであり、本件発明４は引用発明１及び周知技術に基づいて当業者が容易に発明をすることができたものである。
　II．刊行物２に記載された発明（以下、「引用発明２」という。）と本件各発明との比較
　引用発明２が眼科撮影装置に相当することは明らかである。
　引用発明２が本件各発明の構成要件Ａ−Ｆ３を有するものであるか否かについて検討する。
　構成要件Ａについて
　引用発明２の指標投影系（３）は、眼底Ｆにピント合わせ用指標像（６２）を投影するためのもので、光源（４０）、指標マスク板（４６）等を有するものであるから、「合焦用の指標を指標用光源から被検眼に投影する指標投影手段」（以下、「構成要件ａ’」という。）ということができる。しかし、投影する合焦用の指標は第２図の記載によれば２個であり、刊行物２には、１個とすることについての記載はなく、引用発明２が構成要件Ａを有するものということはできない。
　構成要件Ｂについて
　引用発明２の接眼レンズ（３６）は「指標と共に被検眼を観察する観察手段」（以下、「構成要件ｂ’」という。）ということができるが、指標は１個とはされておらず、引用発明２が構成要件Ｂを有するものということはできない。
　構成要件Ｃについて
　刊行物２に明記されてはいないが、光源（４０）を駆動するための手段が存在することは明らかであり、引用発明２は「指標用光源を駆動するための光源駆動手段」（以下、「構成要件ｃ’」という。）を有するものということができるが、指標用光源は、１個の指標を投影するものとはされておらず、引用発明２が構成要件Ｃを有するものということはできない。
　構成要件Ｄ１について
　刊行物２には構成要件Ｄ１についての記載はない。
　構成要件Ｄ２について
　引用発明２の操作スイッチ（６８）は、蛍光撮影モード又はカラー撮影モードの設定をするものであり、「撮影モード切換手段」ということができるが、「フィルタ検知手段」を有するものか否かは明らかでなく、引用発明２が構成要件Ｄ２を有するものということはできない。
　構成要件Ｅについて
　引用発明２の対物レンズ（２０）、合焦レンズ（２４）、結像レンズ（２６）等は「指標を表示する表示手段」（以下、「構成要件ｅ’」という。）ということができるが、指標が１個であるとはされておらず、引用発明２が構成要件Ｅを有するものということはできない。
　構成要件Ｆ１について
　刊行物２には構成要件Ｆ１についての記載はない。
　構成要件Ｆ２について
　引用発明２は、刊行物２の記載４から明らかなように、操作スイッチ（撮影モード切換手段）によりカラー撮影モードの設定がされると、エキサイターフィルター及びバリアフィルターは光路から離脱され、指標投影系に緑色フィルター（５６）が挿入されて緑色のピント合わせ用指標像が表示される。また、蛍光撮影モードの設定がなされると、エキサイターフィルター及びバリアフィルターが光路内に挿入され、指標投影系に減光フィルターが挿入されて暗い白色光のピント合わせ用指標像が表示される。
　したがって、引用発明２は、「撮影モード切換手段により検知された撮影モードとフィルタの組み合わせ状態を指標の表示状態の変化として表示する」ものということができるが、検出は撮影モード切換手段とフィルタ検知手段によるものか否かは明らかでなく、また、指標の表示状態の変化として表示するのは、フィルター（緑色フィルター又は減光フィルター）の駆動によるものであって、指標用光源の駆動によるものではなく、構成要件Ｆ２を有するものということはできない。
　構成要件Ｆ３について
　刊行物２には構成要件３についての直接の記載はないが、引用発明２は、刊行物２の記載４から明らかなように、操作スイッチ（撮影モード切換手段）によりカラー撮影モードの設定がされると、エキサイターフィルター及びバリアフィルターは光路から離脱され、指標投影系に緑色フィルターが挿入されて緑色のピント合わせ用指標像が表示される。また、蛍光撮影モードの設定がなされると、エキサイターフィルター及びバリアフィルターが光路内に挿入され、指標投影系に減光フィルターが挿入されて暗い白色光のピント合わせ用指標像が表示されるものであるから、検者は、観察手段である接眼レンズを介してピント合わせ用指標像を観察し、該指標像が緑色であれば、カラー撮影モードでの撮影が可能であることを知り、暗い白色光であれば、蛍光撮影モードでの撮影が可能であることを知ることができる。したがって、引用発明２は、「撮影モードとフィルタの組み合わせ状態を指標の表示状態の変化として表示」し、「撮影可能な状態であるかどうかを観察手段を介して検者に知らせる」機能を有するものである。
［本件発明１についての判断］
　以上のことから、本件発明１と引用発明２とを比較すると、両者は、
　アライメント用或いは合焦用の指標を指標用光源から被検眼に投影する指標投影手段と、
　指標と共に被検眼を観察する観察手段と、
　指標用光源を駆動するための光源駆動手段と、
　指標を表示する表示手段とを有し、
　検出された撮影モードとフィルタの組合わせ状態を指標の表示状態の変化として表示することを特徴とする
　眼科撮影装置
である点で一致し、次の３点で相違する。
　相違点１
　投影する指標の個数が、本件発明１は、１個であるのに対して、引用発明２は２個である点
　相違点２
　本件発明１は、構成要件Ｄ１又はＤ２を有するのに対して、引用発明はそのようなものではない点
　相違点３
　本件発明１は、構成要件Ｆ１又はＦ２を有し、構成要件Ｆ３を有するのに対して、引用発明２はそのようなものではない点
　相違点について検討する。
　相違点１について
　指標の数を１個とするか２個とするかは、当業者が適宜選択しうる設計上の事項であり、その選択により作用効果において格別の相違があるものともいえない。
　したがって、引用発明２において、構成要件ａ’を本件発明１の構成要件Ａのようにし、その際、構成要件ｂ’、ｃ’、ｅ’を本件発明１の構成要件Ｂ、Ｃ、Ｅのようにすることは当業者にとって格別困難なことではない。
　相違点２について
　引用発明２は、カラー撮影モードの際には、エキサイターフィルター及びバリアフィルターが光路から離脱され、蛍光撮影モードの際には、これらのフィルターが光路に挿入されるものであり、これを正確に実現するためには、「撮影モード」や「フィルタ」がどのような状態にあるかを知る必要があり、そのために、撮影モード切換手段に加えてフィルタ検知手段を設けるようにすることは当業者が当然考えられる設計上の配慮であり、引用発明２において、構成要件Ｄ１を有するものとすることは当業者にとって格別困難なこととはいえない。
　相違点３について
　引用発明２は、「撮影モード切換手段により検知された撮影モードとフィルタの組み合わせ状態を指標の表示状態の変化として表示する」ものであり、指標の表示状態の変化により、「撮影可能な状態であるかどうかを観察手段を介して検者に知らせる」機能を有するものである。
　そして、相違点２について検討したように、撮影モード切換手段に加えてフィルタ検知手段を設けるようにすることは当業者が当然考えられる設計上の配慮であり、その場合、撮影モードとフィルタの組み合わせ状態の検出は、撮影モード切換手段とフィルタ検知手段によりなされることは当然考えられることである。
　また、指標の表示状態の変化として表示するための具体的手段をどのようなものとするかは、当業者が適宜設計しうることであり、光源駆動手段によって指標用光源を駆動して行うものも周知のものである（刊行物１（特に記載６参照）、刊行物３（特に記載１参照）にも開示されている。）から、引用発明２において、指標の表示状態の変化をフィルターの駆動で行うことに換えて指標用光源の駆動により行うようにすることは、当業者にとって格別困難なこととはいえず、引用発明２において、構成要件Ｆ２及び構成要件Ｆ３を有するようにすることは当業者にとって格別困難なこととはいえない。
　したがって、本件発明１は、引用発明２及び周知技術に基づいて当業者が容易に発明をすることができたものである。
［本件発明３についての判断］
　本件発明３は、構成要件Ａ−Ｆ３に加えて、構成要件Ｈを有するものである。
　本件発明３と引用発明２とを比較すると、構成要件Ａ−Ｆ３については、本件発明１について検討したとおりである。
　構成要件Ｈについて検討すると、本件発明１について相違点３について検討したように、指標の表示状態の変化をフィルターの駆動で行うことに換えて指標用光源の駆動により行うようにすることは当業者にとって格別困難なこととはいえず、その際、指標用光源の明るさを換えるようにすることも当業者が適宜なしえる設計上の事項にすぎない。このことは、指標用光源の明るさを変えるようにすることが普通になされており（刊行物３、５参照）、また、引用発明２は、刊行物２の記載４から明らかなように、ピント合わせ用指標像の明るさは、蛍光撮影モードの際にはカラー撮影モードの際よりも暗くなるものであり、すなわち、「指標の表示状態の変化は、明るさを変えることにより行う」ものであることからも当然いえることである。
　したがって、本件発明３は引用発明２及び周知技術に基づいて当業者が容易に発明をすることができたものである。
［本件発明４についての判断］
　本件発明４は、構成要件Ａ−Ｆ３に加えて、構成要件Ｉを有するものである。
　本件発明４と引用発明２とを比較すると、構成要件Ａ−Ｆ３については、本件発明１について検討したとおりである。
　構成要件Ｉについて検討すると、本件発明１について相違点３について検討したように指標の表示状態の変化をフィルターの駆動で行うことに換えて指標用光源の駆動により行うようにすることは、当業者にとって格別困難なこととはいえず、その際、指標用光源の波長を切り換えるようにすることも当業者が適宜なしえる設計上の事項にすぎない。このことは、指標用光源の波長を切り換えるようにすることが普通になされており（刊行物４参照）、また、引用発明２は、刊行物２の記載４から明らかなように、ピント合わせ用指標像の色は、蛍光撮影モードの際には白色で、カラー撮影モードの際には緑色であるから、すなわち、「指標の表示状態の変化は、その波長特性を切換えることにより行う」ものであることからも当然いえることである。
　したがって、本件発明４は引用発明２及び周知技術に基づいて当業者が容易に発明をすることができたものである。
４．むすび
　以上のとおりであるから、本件の請求項１−４に係る発明は、特許法第２９条第２項の規定により特許を受けることができない。
　したがって、本件の請求項１−４に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年１月２０日（２００５．１．２０）
【訂正の要旨】
審決（決定）の【理由】欄参照。
（５４）【発明の名称】
眼科撮影装置
（５７）【特許請求の範囲】
　【請求項１】　
１個のアライメント用或いは１個の合焦用の指標を指標用光源から被検眼に
前記指標と共に
指標用
と
指標
前記充電完了検知手段により検出された前記撮影用光源の充電状態を前記光源駆動手段によって前記指標用光源を駆動して前記指標の表示状態の変化として表示し、又は前記撮影モード切換手段と前記フィルタ検知手段により検出された撮影モードとフィルタの組合わせ状態を前記光源駆動手段によって前記指標用光源を駆動して前記指標の表示状態の変化として表示し、撮影可能な状態であるかどうかを前記観察手段を介して検者に知らせる
　【請求項２】　
前記指標の表示状態の変化は、前記光源駆動手段によって前記指標用
ことにより行う
　【請求項３】　
前記指標の表示状態の変化は、前記光源駆動手段によって前記指標用
ことにより行う
　【請求項４】　
前記指標の表示状態の変化は、前記光源駆動手段によって前記指標用
ことにより行う
【発明の詳細な説明】
　【０００１】
　【産業上の利用分野】
　本発明は、被検眼にアライメント用指標又は合焦用指標を投影する手段を有する眼科撮影装置に関するものである。
　【０００２】
　【従来の技術】
　従来の眼底カメラとして、被検眼の角膜にアライメント用指標を投影し、アライメント用指標の角膜からの反射像を眼底像に重ね合わせて観察し被検眼と眼底カメラとのアライメントを行うものや、被検眼の眼底と共役な位置に配置された合焦用指標を眼底に投影し、合焦用指標の眼底からの反射像を眼底像に重ね合わせて観察し、合焦を行うものなどが知られている。また、撮影可能状態であるか否かを表示する表示手段を、眼底カメラのステージ部や観察系に設けたものも知られている。
　【０００３】
　【発明が解決しようとする課題】
　しかしながら上述の従来例では、表示手段がステージ部等に設けられている場合には、検者は眼底を観察しながら表示手段に表示される情報を得ることができない。また、表示手段が観察系に設けられている場合には、装置が複雑になりコストも高くなってしまう。
　【０００４】
　本発明の目的は、上述の問題を解消し、撮影可能な状態か否かを指標を変化させることにより検者に知らせる眼科撮影装置を提供することにある。
　【０００５】
　【課題を解決するための手段】
　上記目的を達成するための本発明に係る眼科撮影装置は、
１個のアライメント用或いは１個の合焦用の指標を指標用光源から被検眼に
前記指標と共に
指標用
と
指標
前記充電完了検知手段により検出された前記撮影用光源の充電状態を前記光源駆動手段によって前記指標用光源を駆動して前記指標の表示状態の変化として表示し、又は前記撮影モード切換手段と前記フィルタ検知手段により検出された撮影モードとフィルタの組合わせ状態を前記光源駆動手段によって前記指標用光源を駆動して前記指標の表示状態の変化として表示し、撮影可能な状態であるかどうかを前記観察手段を介して検者に知らせる
　【０００６】
　【０００７】
　【作用】
　上述の構成を有する本発明の眼科撮影装置は、撮影可能状態であるか否かを検知し、被検眼の角膜に投影されるアライメント用指標又は被検眼の眼底に投影される合焦用指標を変化させることにより、撮影可能状態であるか否かを観察をしている検者に知らせる。
　【０００８】
　【実施例】
　本発明を図示の実施例に基づいて詳細に説明する。
　図１は第１の実施例の構成図であり、被検眼Ｅと対向している対物レンズ１の背後の光路０１上には、孔あきミラー２、フォーカスレンズ３、結像レンズ４、クイックリターンミラー５、フィルム６が配置され、クイックリターンミラー５の反射方向の光路０２上には観察面７が配置され、観察面７には接眼レンズ等の観察手段８が接続されている。孔あきミラー２の入射方向の光路０３上には、リレーレンズ９、１０、リング状スリット１１、ミラー１２、コンデンサレンズ１３、ストロボ管から成る撮影用光源１４、コンデンサレンズ１５、１６、ハロゲンランプから成る観察用光源１７、リフレクタ１８が配置されている。
　【０００９】
　また、光路０１の軸外には、被検眼Ｅの角膜Ｅｃにアライメント用指標を投影するための光ファイバ１９、ＬＥＤ等の光源２０が配置されている。更に、撮影用光源１４には電源２１、充電完了検知手段２２が接続されており、この充電完了検知手段２２の出力は光源駆動回路２３を介して光源２０に接続されている。
　【００１０】
　位置合わせや眼底観察に際しては、クイックリターンミラー５を光路０１内に挿入したまま観察用光源１８を点灯すると、観察用光源１８からの光束はコンデンサレンズ１６、１５、１３、ミラー１２、スリット１１、リレーレンズ１０、９、孔あきミラー２、対物レンズ１を経て眼底Ｅｒを照明し、その反射光は対物レンズ１、孔あきミラー２の孔部、フォーカスレンズ３、結像レンズ４、クイックリターンミラー５を経て観察面７に結像するので、検者は観察手段８を介して眼底Ｅｒを観察することができる。
　【００１１】
　この観察時に、光ファイバ１９の端部Ｐから射出された光束Ｌ１は、対物レンズ１を介して被検眼Ｅの角膜Ｅｃに投影され、角膜Ｅｃによって反射された光束Ｌ２はアライメントが適切な場合には、平行光となり再び対物レンズ１を通り、フォーカスレンズ３、結像レンズ４、クイックリターンミラー５を介して、被検眼Ｅの眼底Ｅｒと共役な観察面７上に結像し、眼底像と共に観察される。
　【００１２】
　ここで、電源２１の充電が完了してない場合には光源駆動回路２３により光源２０は点滅し、充電が完了した場合には光源２０は点灯し続ける。従って、検者は観察面７を監視することにより、光源２０の点灯状態から電源２１の充電状態を知ることができる。また、電源２１の充電が完了していない場合には光源駆動回路２３により光源２０は低い輝度で点灯し、充電が完了した場合には光源２０は高い輝度で点灯するようにしても、検者に充電状態を知らせることができる。
　【００１３】
　フィルム６での眼底像の撮影に際しては、観察面７において電源２１の充電状態を確認してから図示しない撮影釦を押すと、クイックリターンミラー５が跳ね上がって光路０１から退避する。続いて、撮影用光源１４が閃光すると、その光束は観察用光束と略同等の光路を経て眼底Ｅｒを照明する。眼底Ｅｒからの反射光も観察光と略同等の光路を辿るが、クイックリターンミラー５は上昇しているためにフィルム６上に結像し、フィルム６において眼底像を得ることができる。
　【００１４】
　図２は第２の実施例の構成図であり、被検眼Ｅと対向している対物レンズ１の背後の光路０１には、孔あきミラー２、・・・・、クイックリターンミラー５、フィルム６が配置され、クイックリターンミラー５の反射方向の光路０２上には観察面７が配置されている。また、孔あきミラー２の入射方向の光路０３上には、リレーレンズ９、・・・・、リフレクタ１８が配置されている。更に、光路０１の軸外に光ファイバ１９、ＬＥＤ等の光源２０が配置されており、これらの構成は第１の実施例と同様である。
　【００１５】
　しかし、光路０１上には挿脱可能な蛍光用バリアフィルタ２４が配置され、その位置は図示しないバリアフィルタ検知手段に接続されており、光路０３上には挿脱可能な蛍光用エキサイタフィルタ２５が配置され、その位置は図示しないエキサイタフィルタ検知手段に接続されている。更に、眼底カメラステージ部にはカラー撮影か蛍光造影撮影かを選択する図示しない撮影モード切換手段が設けられている。光源２０に接続された光源駆動回路２３は、撮影モード切換手段、バリアフィルタ検知手段及びエキサイタフィルタ検知手段からの出力を基に、光源２０の駆動状態を変化させるようになっている。
　【００１６】
　この第２の実施例では、撮影モード切換手段によって蛍光造影撮影が選択され、バリアフィルタ２５が光路０１上に、エキサイタフィルタ２５が光路０３上に少なくとも何れか一方が挿入されていない場合に光源２０は点滅し、何れも挿入されている場合に光源２０は点灯し続ける。これによって、バリアフィルタ２４、エキサイタフィルタ２５が確実に光路内に挿入されているか否かを、検者は観察面７上における光源２０の点灯、点滅によって確認できるため、バリアフィルタ２４或いはエキサイタフィルタ２５の入れ忘れによる蛍光造影撮影の失敗を防ぐことができる。
　【００１７】
　図３は第３の実施例の構成図であり、被検眼Ｅと対向している対物レンズ１の背後の光路０１上には、孔あきミラー２、・・・・、挿脱可能な蛍光用バリアフィルタ２５、・・・・、クイックリターンミラー５、フィルム６が配置され、クイックリターンミラー５の反射方向の光路０２上には観察面７が配置されている。また、孔あきミラー２の入射方向の光路０３上には、リレーレンズ９、・・・、挿脱可能な蛍光用エキサイタフィルタ２５、・・・・、リフレクタ１８が配列されており、これらの構成は第２の実施例と同様である。
　【００１８】
　しかし、光路０３のリレーレンズ９、１０間には、被検眼Ｅの眼底Ｅｒに合焦用指標を投影するために、ミラー３０が眼底Ｅｒと共役な位置に配置され、ミラー３０の反射方向の光路０４上には、レンズ３１、合焦用指標３２、指標３２を眼底Ｅｒに投影するためのランプから成る光源３３が配置されている。
　【００１９】
　また、撮影用光源１４には電源２１、充電完了検知手段２２が順次に接続されており、蛍光用バリアフィルタ２５には図示しないバリアフィルタ検知手段が接続されており、蛍光用エキサイタフィルタ２５には図示しないエキサイタフィルタ検知手段が接続されている。光源３３には光源駆動回路３４が接続され、この光源駆動回路３４は充電完了検知手段２２、撮影モード切換手段、バリアフィルタ検知手段及びエキサイタフィルタ検知手段からの出力を基に、光源３３の駆動状態を変化させるようになっている。
　【００２０】
　観察時において、光源３３から指標３２を介して射出された光束Ｌ３は、レンズ３１によりミラー３０上に結像し、リレーレンズ８、孔あきミラー２、対物レンズ１によって眼底Ｅｒに投影され、眼底Ｅｒで反射される。眼底Ｅｒで反射された光束Ｌ４は再び対物レンズ１を通り、フォーカスレンズ３、結像レンズ４、クイックリターンミラー５によって観察面７上に結像し、検者により眼底像と共に観察される。
　【００２１】
　図４は第４の実施例の構成図を示し、被検眼Ｅと対向している対物レンズ１の背後の光路０１には、孔あきミラー２、・・・・、クイックリターンミラー５、フィルム６が配置され、クイックリターンミラー５の反射方向の光路０２上には観察面７が配置されている。また、孔あきミラー２の入射方向の光路０３上には、リレーレンズ９、・・・・、リフレクタ１８が配置されており、これらの構成は第１の実施例と同様である。
　【００２２】
　しかし、第１の実施例とは異なり、光路０１の軸外に光ファイバ１９、緑色、赤色の２色で発光可能な２色発光ＬＥＤ３５が配置され、２色発光ＬＥＤ３５はＬＥＤ駆動回路３６に接続されており、これにより発光色が切換えられるようになっている。更に、撮影用光源１４には電源２１、充電完了検知手段２２が接続されており、充電完了検知手段２２の出力はＬＥＤ駆動回路３６を介して２色発光ＬＥＤ３５に接続されている。
　【００２３】
　光ファイバ１９の端部Ｐから射出された光束Ｌ１は、対物レンズ１を介し被検眼Ｅの角膜Ｅｃに投影され、角膜Ｅｃによって反射された光束Ｌ２はアライメントが適切な場合に平行光となり、再び対物レンズ１を通り、フォーカスレンズ３、結像レンズ４、クイックリターンミラー５を介し、眼底Ｅｒと共役な観察面７上に結像し、眼底像と共に観察される。
　【００２４】
　ここで第４の実施例では、電源２１の充電が完了してない場合には、ＬＥＤ駆動回路３６により、２色発光ＬＥＤ３５は赤色の光を発光し、充電が完了した場合には２色発光ＬＥＤ３５は緑色の光を発光する。従って、検者は観察面７を監視することにより、２色発光ＬＥＤ３５の発光色から、電源２１の充電状態を知ることができる。
　【００２５】
　第１、第２の実施例では、角膜Ｅｃに指標を投影する指標投影手段のＬＥＤ等の光源の点灯、点滅又は光源の明るさを変化させることにより表示を行ったが、第３の実施例においては眼底Ｅｒに指標を投影する指標投影手段のランプ等の光源の点灯、点滅によって充電完了や蛍光用フィルタの挿脱の状態の表示を行っている。また第４の実施例では、角膜Ｅｃに指標を投影する指標投影手段の光源の２色発光ＬＥＤの発光色を変化させることにより表示を行っている。更に、第２、第３の実施例では眼底カメラのステージ部に、カラー撮影か蛍光造影撮影かを選択する図示しない撮影モード切換手段の状態表示を行うこともできる。
　【００２６】
　なお、実施例においては眼底を観察、撮影する場合について説明したが、例えば水晶体を観察、撮影することもできる。
　【００２７】
　【発明の効果】
　以上説明したように本発明に係る眼科撮影装置は、被検眼にアライメント用指標を投影するアライメント用指標投影手段又は合焦用指標を投影する合焦用指標投影手段を有し、撮影可能な状態であるか否かを検知し、アライメント用指標投影手段又は合焦用指標投影手段により投影された指標を変化させて検者に表示することによって、装置を複雑化することなく眼像を観察しながら撮影可能な状態であるか否かを検者に容易に知らせることができる。
【図面の簡単な説明】
　【図１】
　第１の実施例の構成図である。
　【図２】
　第２の実施例の構成図である。
　【図３】
　第３の実施例の構成図である。
　【図４】
　第４の実施例の構成図である。
　【符号の説明】
　７　観察面
　８　観察手段
　１４　撮影用光源
　１７　観察用光源
　１９　光ファイバ
　２０　光源
　２１　電源
　２２　充電完了検知手段
　２３、３４　光源駆動回路
　２４　蛍光用バリアフィルタ
　２５　蛍光用エキサイタフィルタ
　３２　合焦用指標
　３３　光源
　３５　２色発光ＬＥＤ